(57)【要約】【課題】部品点数が少なく、コストの低減を図る。【解決手段】光レセプタクル（１０）は、一端からフェルール（４０）を挿抜可能に保持する円筒部（２２）と、他端部の中央部分とフェルール（４０）とを光学的に結合する光結合部（２３）とを含むハウジング（２１）全体を、光透過率の高い合成樹脂を用いて、かつ、他端部の外周に環状の金属部材（３０）をインサートモールドして一体成形した。光モジュール（１）は、光レセプタクル（１０）の他端側に、光デバイス（５０）を光結合部（２３）によりフェルール（４０）と光学的に結合するように位置決めして、光デバイス（５０）の金属部分と金属部材（３０）とを固着した。【選択図】図１
2007155920.tif 000002
【特許請求の範囲】
【請求項１】
一端からフェルールを挿抜可能に保持する円筒部と、他端部の中央部分と前記フェルールとを光学的に結合する光結合部とを含むハウジング全体を、光透過率の高い合成樹脂を用いて一体成形したことを特徴とする光レセプタクル。
【請求項２】
前記他端部の外周に環状の金属部材をインサートモールドしたことを特徴とする請求項１記載の光レセプタクル。
【請求項３】
前記金属部材の内周に軸線方向に沿った少なくとも１つの凹溝を形成したことを特徴とする請求項２記載の光レセプタクル。
【請求項４】
前記他端部の中央部分に前記円筒部と同一軸線を有する中央穴を備え、当該中央穴の底面は、前記軸線と直交する面に対して所定角度傾斜していることを特徴とする請求項１または請求項２記載の光レセプタクル。
【請求項５】
一端からフェルールを挿抜可能に保持する円筒部と、他端部の中央部分と前記フェルールとを光学的に結合する光結合部とを含むハウジング全体を、光透過率の高い合成樹脂を用いて一体成形した光レセプタクルの前記他端側に、光デバイスを前記光結合部により前記フェルールと光学的に結合するように位置決めして取り付けたことを特徴とする光モジュール。
【請求項６】
一端からフェルールを挿抜可能に保持する円筒部と、他端部の中央部分と前記フェルールとを光学的に結合する光結合部とを含むハウジング全体を、光透過率の高い合成樹脂を用いて、かつ、前記他端部の外周に環状の金属部材をインサートモールドして一体成形した光レセプタクルの前記他端側に、光デバイスを前記光結合部により前記フェルールと光学的に結合するように位置決めして、当該光デバイスの金属部分と前記金属部材とを固着したことを特徴とする光モジュール。
【発明の詳細な説明】
【技術分野】
【０００１】
この発明は、光ファイバと光デバイスとを光学的に接続するための光レセプタクルおよびこれを用いた光モジュールに関するものである。
【背景技術】
【０００２】
従来のこの種の光レセプタクルには、図４に示すように、金属製のホルダ１２６に一端側を圧入して保持されたファイバスタブ１２３の他端側に、フェルール（プラグフェルール）１４０を挿抜可能なスリーブ１２２の一部を差し込み、このスリーブ１２２を収容したスリーブケース１２７を前記ホルダ１２６で保持したものがある（例えば、特許文献１参照）。
【０００３】
そして、この光レセプタクル１１０の場合は、図５に示すように、前記ファイバスタブ１２３の前記一端側に配置した光デバイス１５０を、そのケースと前記金属製ホルダ１２６とを溶接・固定することで光モジュール１０１を構成している。
【０００４】
また、従来の光レセプタクルには、図６に示すように、ファイバスタブの代わりに光路用の貫通孔２２３を有するストッパ２２６を、フェルール（コネクタフェルール）２４０を挿抜可能なスリーブ２２２を保持する保持部材２２７の端部に圧入して保持したものもある（例えば、特許文献２参照）。
【０００５】
そして、この光レセプタクル２１０の場合は、図７に示すように、前記ストッパ２２６の外側に配置した光デバイス２５０を前記保持部材２２７に固定することで光モジュール２０１を構成している。
【特許文献１】特開平２００５−１３４５５０号公報
【特許文献２】特開平１０−２０６７００号公報
【発明の開示】
【発明が解決しようとする課題】
【０００６】
しかしながら、上記のような従来の光レセプタクルは、つぎのような課題があった。
【０００７】
すなわち、図４に示す光レセプタクル１１０の場合は、ジルコニアセラミックス等からなるファイバスタブ１２３と、金属製のホルダ１２６とを組み合わせるため、コストが高く、また、スリーブ１２２およびスリーブケース１２７が必要であるため部品点数も多く、この点からもコストを抑えることが難しい。
【０００８】
また、図６に示す光レセプタクル２１０の場合は、ストッパ２２６、スリーブ２２２および保持部材２２７が必要であるだけでなく、ストッパ２２６の貫通孔２２３において光路を導く例えば球形レンズ２６０が欠かせないため、部品点数が多く、コストを抑えることが難しい。
【０００９】
この発明は、上記課題を解決するために為されたものであり、部品点数が少なく、コストの低減を図ることのできる光レセプタクルおよび光モジュールを提供することを目的とする。
【課題を解決するための手段】
【００１０】
この発明の請求項１に係る光レセプタクルは、一端からフェルールを挿抜可能に保持する円筒部と、他端部の中央部分と前記フェルールとを光学的に結合する光結合部とを含むハウジング全体を、光透過率の高い合成樹脂を用いて一体成形したことを特徴とするものである。
【００１１】
この発明の請求項２に係る光レセプタクルは、請求項１記載の光レセプタクルにおいて、前記他端部の外周に環状の金属部材をインサートモールドしたことを特徴とするものである。
【００１２】
この発明の請求項３に係る光レセプタクルは、請求項２記載の光レセプタクルにおいて、前記金属部材の内周に軸線方向に沿った少なくとも１つの凹溝を形成したことを特徴とするものである。
【００１３】
この発明の請求項４に係る光レセプタクルは、請求項１または請求項２記載の光レセプタクルにおいて、前記他端部の中央部分に前記円筒部と同一軸線を有する中央穴を備え、当該中央穴の底面は、前記軸線と直交する面に対して所定角度傾斜していることを特徴とするものである。
【００１４】
この発明の請求項５に係る光モジュールは、一端からフェルールを挿抜可能に保持する円筒部と、他端部の中央部分と前記フェルールとを光学的に結合する光結合部とを含むハウジング全体を、光透過率の高い合成樹脂を用いて一体成形した光レセプタクルの前記他端側に、光デバイスを前記光結合部により前記フェルールと光学的に結合するように位置決めして取り付けたことを特徴とするものである。
【００１５】
この発明の請求項６に係る光モジュールは、一端からフェルールを挿抜可能に保持する円筒部と、他端部の中央部分と前記フェルールとを光学的に結合する光結合部とを含むハウジング全体を、光透過率の高い合成樹脂を用いて、かつ、前記他端部の外周に環状の金属部材をインサートモールドして一体成形した光レセプタクルの前記他端側に、光デバイスを前記光結合部により前記フェルールと光学的に結合するように位置決めして、当該光デバイスの金属部分と前記金属部材とを固着したことを特徴とするものである。
【発明の効果】
【００１６】
この発明は以上のように、一端からフェルールを挿抜可能に保持する円筒部と、他端部の中央部分と前記フェルールとを光学的に結合する光結合部とを含むハウジング全体を、光透過率の高い合成樹脂を用いて一体成形した構成としたので、光レセプタクルとして部品点数が少なく、コストの低減を図ることができる。
【００１７】
また、この発明は、一端からフェルールを挿抜可能に保持する円筒部と、他端部の中央部分と前記フェルールとを光学的に結合する光結合部とを含むハウジング全体を、光透過率の高い合成樹脂を用いて一体成形した光レセプタクルの前記他端側に、光デバイスを前記光結合部により前記フェルールと光学的に結合するように位置決めして取り付けた構成としたので、光モジュールとして部品点数が少なく、コストの低減を図ることができる。
【発明を実施するための最良の形態】
【００１８】
この発明の実施の形態を、図面を参照して説明する。
【００１９】
図１は、この発明による光レセプタクルの一実施形態を示す断面図および端面図であり、この光レセプタクル１０は、光レセプタクル本体２０と、環状の金属部材３０とで構成される。
【００２０】
光レセプタクル本体２０は、一端（図では右端）からフェルール４０を挿抜可能に保持する円筒部２２と、他端部（図では左端部）の中央部分と、円筒部２２に挿入されたフェルール４０とを光学的に結合する光結合部２３とを含むハウジング２１全体を、例えばポリカーボネイト等の、光透過率の高い合成樹脂を用いて一体成形したものである。
【００２１】
円筒部２２の内径は、挿抜されるフェルール４０の外径に対して必要なクリアランスを有する大きさに形成される。そのため、円筒部２２の肉厚の内側部分は、従来のスリーブ１２２，２２２と実質的に同様の機能を果たし、また、円筒部２２の肉厚の外側部分は、従来のスリーブケース１２７または保持部材２２７と実質的に同様の機能を果たす。
【００２２】
光結合部２３は、光レセプタクル本体２０の中心軸線から所要の半径方向広がりをもった円柱状の領域として定義され、従来のファイバスタブ１２３、または、ストッパ２２６の貫通孔２２３と実質的に同様の機能を果たす。
【００２３】
また、光レセプタクル本体２０は、他端部（図では左端部）の中央部分に円筒部２２と同一軸線を有する中央穴２４を備え、この中央穴２４の底面は、前記軸線と直交する面に対して所定角度傾斜した傾斜面２５として形成されている。
【００２４】
この傾斜面２５は、光レセプタクル本体２０の他端（図では左端）側に、光デバイス５０としての例えばＬＤ（レーザダイオード）、ＰＤ（フォトダイオード）等の光素子が配置されたとき、その光デバイス５０としての光素子から出射された光信号が、光結合部２３の端面で反射して光素子に戻る反射防止を目的とするものであり、傾斜角度は例えば４〜１２°程度とすることができる。
【００２５】
また、このような反射防止を目的とするためには、傾斜面２５は必ずしも中央穴２４の底面として形成しなければならないわけではない。例えば、光レセプタクル本体２０の他端部（図では左端部）の中央部分に、傾斜した窪み（凹所）を設けることで傾斜面２５を形成することができる。
【００２６】
さらに、このような反射防止を目的とする構成が不要である場合は、傾斜面２５の傾斜角度を実質的に０°とすること、すなわち傾斜面２５を形成しないことも可能である。
【００２７】
光レセプタクル本体２０の他端部（図では左端部）の外周には、環状の金属部材３０をインサートモールドしてある。
【００２８】
この金属部材３０をインサートモールドすることで、光レセプタクル本体２０の他端（図では左端）側に光デバイス５０としての光素子が配置されたとき、その光デバイス５０としての光素子のケースの金属部分を、金属部材３０に、したがって光レセプタクル１０に、溶接固定することができるものである。
【００２９】
図２に示すように、金属部材３０の内周には、軸線方向に沿った少なくとも１つの凹溝３１を形成してある。この凹溝３１は、金属部材３０と光レセプタクル本体２０とが円周方向に相対回転することを防止するためのものである。
【００３０】
そのため、凹溝３１に代えて、軸線方向に沿った突条を形成してもよく、さらに、軸線方向に延びる凹溝３１または突条ではなく、軸線方向に延びない凹部または突部を１つまたは複数形成することも可能である。
【００３１】
いずれにしても、このような凹溝３１または突条、あるいは、凹部または突部は、金属部材３０と光レセプタクル本体２０とが円周方向に相対回転することを防止する回転防止手段としての機能を有する。
【００３２】
上記のような光レセプタクル１０は、光レセプタクル本体２０と、環状の金属部材３０の合計２部品で構成されるため、部品点数がきわめて少なく、コストの低減を図ることができる。
【００３３】
また、仮に、光デバイス５０との溶接固定が不要である場合には、環状の金属部材３０が不要となり、それにより光レセプタクル１０は、光レセプタクル本体２０のみの単一の部品で構成されるため、部品点数が最少限に少なく、更なるコストの低減を図ることができる。
【００３４】
図３は、この発明による光モジュールの一実施形態を示す断面図であり、この光モジュール１は、図１に示す光レセプタクル１０を用いたものであり、光レセプタクル１０と、光デバイス５０とで構成される。
【００３５】
光デバイス５０は、例えばＬＤ（レーザダイオード）、ＰＤ（フォトダイオード）等の光素子や、他の適宜の光素子・デバイスを利用することができる。
【００３６】
そして、光レセプタクル１０の他端（図では左端）側に、光デバイス５０を光結合部２３によりフェルール１と光学的に結合するように位置決めして、光デバイス５０のケースの金属部分を、光レセプタクル１０の環状の金属部材３０に溶接固定することで、光レセプタクル１０に光デバイス５０を気密封止して取り付けたものである。
【００３７】
上記のような光モジュール１は、光レセプタクル１０の部品点数がきわめて少ないことから、光モジュール１としての部品点数も少なく、コストの低減を図ることができる。
【図面の簡単な説明】
【００３８】
【図１】この発明による光レセプタクルの一実施形態を示す（ａ）断面図と（ｂ）端面図である。
【図２】環状の金属部材の（ａ）端面図、（ｂ）Ｂ部の拡大図、（ｃ）Ｃ−Ｃ線に沿った断面図である。
【図３】この発明による光モジュールの一実施形態を示す断面図である。
【図４】従来の光レセプタクルの一例を示す断面図である。
【図５】従来の光モジュールの一例を示す断面図である。
【図６】従来の光レセプタクルの他の例を示す断面図である。
【図７】従来の光モジュールの他の例を示す断面図である。
【符号の説明】
【００３９】
１  光モジュール
１０  光レセプタクル
２０  光レセプタクル本体
２１  ハウジング
２２  円筒部
２３  光結合部
２４  中央穴
２５  傾斜面
３０  環状の金属部材
３１  凹溝
４０  フェルール
５０  光デバイス
【図１】
2007155920.tif 000003
【図２】
2007155920.tif 000004
【図３】
2007155920.tif 000005
【図４】
2007155920.tif 000006
【図５】
2007155920.tif 000007
【図６】
2007155920.tif 000008
【図７】
2007155920.tif 000009